(57)【要約】【課題】効果的なイルミネーション効果を演出することができるカラオケ装置用フロントパネルを提供すること。【解決手段】フロントパネルは、当該パネルの内部底面上に、当該パネルの幅方向に所定間隔で複数配置された光源部と、光源部を覆う位置に固設された側面視円弧状の第１の光路変更部と、第１の光路変更部よりも上側に固設された側面視円弧状の第２の光路変更部と、投影板と、を備える。第１及び第２の光路変更部の内側表面には凹凸が形成され、それぞれの光源部の発光強度は、所定の制御信号に基いて、隣り合う光源部における発光強度の変化の方向が異なる期間が含まれるように制御され、発光強度が制御されたそれぞれの光源部からの出射光の一部が第１及び第２の光路変更部によって光路変更されて投影板に投影されることにより、投影板上で動きのある所定のイルミネーションパターンが形成される。【選択図】図３
2011071065.tif 000002
【特許請求の範囲】
【請求項１】
カラオケ装置の筺体の前面に設けられるカラオケ装置用フロントパネルであって、
前記パネルは、
当該パネルの内部底面上に、当該パネルの幅方向に所定間隔で複数配置された光源部と、
前記光源部を覆う位置に固設された側面視円弧状の第１の光路変更部と、
前記第１の光路変更部よりも上側に固設された側面視円弧状の第２の光路変更部と、
投影板と、
を備え、
前記第１及び第２の光路変更部の内側表面には凹凸が形成され、
前記それぞれの光源部の発光強度は、所定の制御信号に基いて、隣り合う前記光源部における発光強度の変化の方向が異なる期間が含まれるように制御され、
発光強度が制御された前記それぞれの光源部からの出射光の一部が前記第１及び第２の光路変更部によって光路変更されて前記投影板に投影されることにより、当該投影板上で動きのある所定のイルミネーションパターンが形成される、
ことを特徴とするカラオケ装置用フロントパネル。
【請求項２】
前記パネルは、当該パネルの内部底面上に、前記各光源部の間にそれぞれ配置された遮光部、
をさらに有することを特徴とするカラオケ装置用フロントパネル。
【発明の詳細な説明】
【技術分野】
【０００１】
本発明は、効果的なイルミネーションを演出することができるカラオケ装置用フロントパネルに関する。
【背景技術】
【０００２】
本発明者らは、カラオケボックスやナイト店のような比較的暗い場所で用いられるカラオケ装置において、筺体の前面に設けられるカラオケ装置用フロントパネルを所望のパターンで発光させることができれば、ボックス内や店内のインテリアの一部として機能させることができると考えた。
【０００３】
ここで、下記特許文献１には、筺体の前面にカラオケ装置用フロントパネルが設けられている一般的なカラオケ装置の外観が開示されている。このようなカラオケ装置において、パネルの前面部分を発光させるためには、パネル内部に発光のための機構を設ける必要がある。
【０００４】
ところで、通常のパネルの厚みは数センチ程度であるため、パネルの内部裏面側に光源部を設けること（図８（Ａ）参照）は実用上困難である。そのため、図８（Ｂ）に示すように、パネル内部底面側に光源部を設け、光源部からの光を反射板で反射させるような構成が必要となる（なお、実際の構成では、反射板からの反射光は、不図示の投影板に投影される）。図８（Ｂ）のような位置関係を有する構成は、液晶ディスプレイの導光板ユニットに用いられている（例えば、下記特許文献２）。
【先行技術文献】
【特許文献】
【０００５】
【特許文献１】特開２００５−１０５５２３号公報
【特許文献２】特開平１０−４８４２８号公報
【発明の概要】
【発明が解決しようとする課題】
【０００６】
ところで、カラオケ装置用フロントパネルを発光させて効果的なイルミネーションを演出するためには、投影板に均一の強度（輝度）の光を投影するのではなく、強度が異なる種々の光を投影板に投影するように構成する必要がある。これにより、パネル上でゆらぎや奥行き（立体感）を演出することができる。しかしながら、上記特許文献２に開示される技術は、ディスプレイの輝度が均一となるようにするためのものであるため、当該技術をカラオケ装置用フロントパネルに適用することはできない。
【０００７】
また、光源部や反射板や投影板等を物理的に移動させることにより、強度が異なる種々の光を投影板に投影することができるようになるものの、このような構成を採る場合には光源部や反射板や投影板等の移動機構（例えば、モータ、歯車等）が必要となる。モータや歯車等が動作すると不快な音や不要な音が発生してしまうため、音を愉しむことを目的とするカラオケ装置に、このような移動機構を用いることは適切ではない。
【０００８】
本発明は、上記問題点を解決することができるカラオケ装置用フロントパネルを提供することを目的とする。
【課題を解決するための手段】
【０００９】
上記目的を達成するために、請求項１に係る発明は、カラオケ装置の筺体の前面に設けられるカラオケ装置用フロントパネルであって、前記パネルは、当該パネルの内部底面上に、当該パネルの幅方向に所定間隔で複数配置された光源部と、前記光源部を覆う位置に固設された側面視円弧状の第１の光路変更部と、前記第１の光路変更部よりも上側に固設された側面視円弧状の第２の光路変更部と、投影板と、を備え、前記第１及び第２の光路変更部の内側表面には凹凸が形成され、前記それぞれの光源部の発光強度は、所定の制御信号に基いて、隣り合う前記光源部における発光強度の変化の方向が異なる期間が含まれるように制御され、発光強度が制御された前記それぞれの光源部からの出射光の一部が前記第１及び第２の光路変更部によって光路変更されて前記投影板に投影されることにより、当該投影板上で動きのある所定のイルミネーションパターンが形成されるように構成した。
【００１０】
また、請求項２に係る発明は、請求項１のカラオケ装置用フロントパネルであって、前記パネルは、当該パネルの内部底面上に、前記各光源部の間にそれぞれ配置された遮光部、をさらに有するように構成した。
【発明の効果】
【００１１】
本発明では、発光強度が制御されたそれぞれの光源部からの光が第１及び第２の光路変更部によって光路変更されて投影板に投影されることにより、当該投影板上に所定のイルミネーションパターンが形成される。すなわち、本発明によれば、カラオケ装置用フロントパネルを構成するいずれの部材についても移動させることなく、効果的なイルミネーションを演出することができる。これにより、不快な音や不要な音の発生がない優れたカラオケ装置用フロントパネルを実現することができる。
さらに、遮光部を設ける場合、この遮光部の作用により、各光源部からの出射光の広がり角度を制御することができるので、効果的なイルミネーションを演出することができる。
【図面の簡単な説明】
【００１２】
【図１】カラオケ装置用フロントパネルの正面図である。
【図２】カラオケ装置の斜視図である。
【図３】（Ａ）は、カラオケ装置用フロントパネルの断面図であり、（Ｂ）は、カラオケ装置用フロントパネルの内部正面図であり、（Ｃ）は出射光の一部の光路を示した説明図である。
【図４】（Ａ）は、光路変更部の断面図であり、（Ｂ）は、光路変更部の斜視図である。
【図５】光路変更部を光源部側から見た図である。
【図６】光源部と発光制御部の回路図である。
【図７】奇数群と偶数群の光源部の時間と発光デューティとの関係を示す説明図である。
【図８】（Ａ）は、パネルの内部裏面側に光源部を設けた様子を示す説明図であり、（Ｂ）は、パネルの内部底面側に光源部を設けた様子を示す説明図である。
【発明を実施するための形態】
【００１３】
以下、本発明の実施形態に係るフロントパネルを有するカラオケ装置について具体的に説明する。
【００１４】
［実施形態の概要］
まず、実施形態に係るフロントパネルの概要について説明する。本実施形態に係るフロントパネル２０は、図１に示すように、前面の一部にイルミネーション部２８を備え、動き（例えば、ゆらぎ）のある所定のイルミネーションパターンが表示される。例えば、イルミネーション部２８上の模様等がゆらいでいるように見えるイルミネーションパターンが表示される。イルミネーションパターンにより、奥行き（立体感）のあるイルミネーションを演出することができる。イルミネーション部２８は、例えば、スモークグレーの透過性の部材であり、フロントパネル２０の内部からの出射光を外部に透過することができる。イルミネーションパターンは、フロントパネル２０内部に配置される後述のイルミネーション生成部４０によって生成される。また、このイルミネーション生成部４０は移動機構を有さない構造となっているため、不快な音や不要な音を発生させないという利点を有する。
【００１５】
［フロントパネル２０の外観］
次に、フロントパネル２０の外観について説明する。図２に示すように、フロントパネル２０は、カラオケ装置１を構成する構成要素の１つであり、カラオケ装置１を構成する筺体１０の前面側に配置される。また、フロントパネル２０の前面の一部（イルミネーション部２８の上側）には、操作部２９が設けられており、この操作部２９には、カラオケ装置１を操作するための各種ボタン等が設けられている。なお、筺体１０及び操作部２９については公知の種々の構成を用いることができ、また、本発明の理解とは関係がない部分であるため詳細な説明を省略する。なお、図１及び図２に示したフロントパネル２０のレイアウトは単なる一例である。すなわち、操作部２９をイルミネーション部２８の下側や左右側に設けてもよく、さらに、操作部２９を前面に設けず、フロントパネル２０の前面全てをイルミネーション部２８としてもよい。
【００１６】
［フロントパネル２０の内部構成］
次に、フロントパネル２０の内部構成について説明する。図３（Ａ）に示すように、イルミネーション生成部４０は、光源部２１，遮光部２２，光路変更部３０，第１の反射板２４，第２の反射板２５，投影板２６から構成される。
【００１７】
図３（Ａ）及び（Ｂ）に示すように、フロントパネル２０の内部底面側には、複数の光源部２１_１，２１_２，２１_３，…，２１_２０が設けられている。なお、以下の説明では、複数の光源部のうち何れかの光源部または全ての光源部を示す場合には、便宜上、光源部２１という。なお、図３では光源部２１の数は２０個であるが、本発明においては、光源部２１の数は限定されない。
【００１８】
また、光源部２１は、フロントパネル２０の幅方向に所定間隔で配置されている。この間隔は各光源部２１ごとに同じ間隔でもよいが、多少異なっていてもよい。また、各光源部２１は、種々の発光強度で所望の色の光を出射することができ、例えば、ＲＧＢの３つのＬＥＤによって構成することができる。なお、ＲＧＢの３原色のチップを内蔵したＬＥＤを用いてもよく、また、単色の光源とカラーフィルムとを組み合わせて構成してもよい。なお、単色の光でイルミネーションを演出する場合には、光源部２１を単色の光源で構成してもよい。各光源部２１からの出射光の発光強度や色は、後述の発光制御部５１から出力される所定の制御信号に基いて制御される。
【００１９】
各光源部２１の両側には、それぞれ遮光部２２_１，２２_２，２２_３，…，２２_２０が設けられている。なお、以下の説明では、複数の遮光部のうち何れかの遮光部または全ての遮光部を示す場合には、便宜上、遮光部２２という。なお、図２では、各光源部２１に対して両側を挟むように２つの遮光部２２が設けられているが、隣り合う光源部２１の間に１つの遮光部２２を設けるように構成してもよい。遮光部２２は、光源部２１からの出射光（以下、単に「出射光」ということがある。）を遮光するため、例えば、黒色コーティングが施されている。これにより、光源部２１からの出射光の広がり角度が制御される。なお、遮光部２２の鉛直方向の長さは、所望の広がり角度に応じて適宜調整することができる。
【００２０】
フロントパネル２０の内部には、出射光の一部の光路を変更するための第１の光路変更部３０_１及び第２の光路変更部３０_２が固設されている。なお、以下の説明では、２つの光路変更部のうち何れか一方の光路変更部または両方の光路変更部を示す場合は、便宜上、光路変更部３０という。なお、光路変更部３０の詳細については後述する。
【００２１】
フロントパネル２０の内部背面側には、第１の反射板２４が設けられている。また、下端部が第１の反射板２４の上端部に接するように第２の反射板２５が設けられ、この第２の反射板２５は、フロントパネル２０の内部背面側から内部正面側に向けて所定の傾斜角を有して配設されている。第１の反射板２４及び第２の反射板２５の幅方向長さは、フロントパネル２０の幅方向長さと略同じである。なお、第１の反射板２４及び第２の反射板２５は、一体化して形成してもよい。これらの反射板は、出射光の反射率を調整するために、例えば、黒色コーティングされている。
【００２２】
イルミネーション部２８の裏面には、乳白色化した投影板２６が設けられており、光源部２１からの出射光が投影される。そして、投影された出射光は、イルミネーション部２８を透過してフロントパネル２０の外部に到達する。この光は、イルミネーションパターンとしてユーザに視認される。
【００２３】
以上のように構成されることにより、発光強度や色が制御された光源部２１からの出射光の一部は、光路変更部３０で光路変更される。また、光路変更部３０を通過した光の一部は第１の反射板２４または第２の反射板２５で反射して投影板２６に投影され、また、光路変更部３０を通過したそれ以外の光は直接投影板２６に投影される（図３（Ｃ）参照）。これにより、動きのある所定のイルミネーションパターンを、イルミネーション部２８に表示することができる。
【００２４】
［光路変更部３０の具体的構成］
次に、光路変更部３０の具体的構成について説明する。図４（Ａ）に示すように、光路変更部３０は側面視円弧状の形状であり、光源部２１からの出射光を通過させるために透明部材で構成されている。そして、第１の光路変更部３０_１は、光源部２１を覆うようにフロントパネル２０の内部に固設されている。また、第２の光路変更部３０_２は、第１の光路変更部３０_１よりも上側の位置に、フロントパネル２０の内部に固設されている。図４（Ａ）に示すように、各光路変更部３０の内部表面には凹凸が形成されている。具体的には、図４（Ｂ）に示すように、各光路変更部３０の内部表面には、多数の楕円状の凹み部３３が形成されている。各凹み部３３は、中心ほど深く凹むように形成されている。また、各凹み部３３の大きさは不均一であり、光路変更部３０の内部表面に不規則に形成されている。なお、本実施形態において、２つの光路変更部３０は共通部材としている。また、この凹み部３３は、光路を変更するレンズとして機能する。
【００２５】
このように構成されることにより、凹み部３３に到達する出射光は、所定の屈折率で屈折して（すなわち、光路が変更されて）光路変更部３０を通過し、凹み部３３に到達しない出射光は、光路が変更されることなく光路変更部３０を通過する。これにより、光源部２１からの出射光に基いて、イルミネーション部２８に所定の模様を表示させることができる。また、本実施形態では、第１の光路変更部３０_１及び第２の光路変更部３０_２の２枚の光路変更部３０を有するので、種々の模様を表示させることができる。
【００２６】
また、図４（Ｂ）及び図５（Ｃ）に示すように、光路変更部３０の下端部の側（フロントパネル２０の内部底面側）の方が、上端部の側（フロントパネル２０の内部裏面側）よりも凹み部３３の密度が高い。これにより、イルミネーション部２８の下から上に向けて結像の密度が異なり、イルミネーション部２８の下側から上側に向けて広がりのある模様を表示することができる。
【００２７】
光路変更部３０_１と光路変更部３０_２とは同じ曲率なので、この２つの光路変更部３０を図３（Ａ）に示したようにフロントパネル２０内部に配置することにより、２つの光路変更部３０の間隔（凹み部３３に挟まれた間隔）は、光路変更部３０の下端部の側（フロントパネル２０の内部底面側）と、上端部の側（フロントパネル２０の内部裏面側）とで異なる。これにより、光源部２１から出射光が投影板２６に到達するまでの距離が異なることになる。そして、この光路が長くなると投影板２６に投影される光は広がって投影されるので、光路が長くなるほど光が拡散して、暗く大きい光として投影板２６に投影される。また、投影板２６に結像する出射光は、光路が長くなるほどボケを生じる。
【００２８】
すなわち、光源部２１から出射光全体でみれば、投影板２６に投影される（結像する）出射光の大きさ，ボケ度合いが、投影板２６の上下側において明らかに異なることになる。具体的には、下端側ほど凹み部３３に挟まれた間隔が短いので拡散する度合いが小さく、光源部２１と投影板２６との距離も短いので、イルミネーション部２８の下側のイルミネーションの多くは、明るく明瞭に表示される。一方、上端側ほど凹み部３３に挟まれた間隔が長いので拡散する度合いが大きく、光源部２１と投影板２６との距離も長いので、イルミネーション部２８の上側のイルミネーションの多くは、暗くボケて表示される。すなわち、投影板２６の下側に到達する出射光の多くは、短い光路によって投影板２６に到達し、投影板２６の上側に到達する出射光の多くは、長い光路によって投影板２６に到達する。
その結果、ユーザに対し、２重の像による奥行感のあるイルミネーションを視認させることができる。
【００２９】
なお、ここでいう２重の像とは、同時に視認される最下端部の最も明瞭な像と上端部に向けて徐々にボケていく像をいう。２重の像の効果の一例としては、ビル屋上などから撮った風景写真では、手前眼下に見える明瞭な風景と、遠方にかけてボンヤリした風景とが同時に見え、ユーザは風景写真が平面画像でありながら奥行き（立体感）を感じることができる。本実施形態は、このような効果を、イルミネーション部２８に表示されるイルミネーションに応用したものである。
【００３０】
また、本実施形態では、各光源部２１の発光強度が制御されるので、この発光強度の制御と光路変更部３０に形成された凹み部３３とが相俟って、イルミネーション部２８に動きのあるイルミネーションパターンを表示することができる。そして、第１の光路変更部３０_１及び第２の光路変更部３０_２は、フロントパネル２０内部に固設されている。すなわち、各光路変更部３０を移動させる必要がないため、移動機構が不要となる。これにより、本実施形態のフロントパネル２０は、不快な音や不要な音を発生させることなく効果的なイルミネーションを演出することができる。その結果、フロントパネル２０は、比較的ライフサイクルが長くかつ音を愉しむことを目的とするカラオケ装置に用いることに適している。
【００３１】
なお、光路変更部３０の曲率，円弧の長さは適宜設定することができる。さらに、凹み部３３の大きさ，深さ，数，分布は適宜設定することができる。
【００３２】
［発光制御部５１による光源部２１の発光強度の制御］
次に、光源部２１の発光強度を制御する発光制御部５１について説明する。筺体１０内部のＣＰＵまたはフロントパネル２０に内蔵されるマイコンが発光制御部５１として機能する。本実施形態では、移動機構を用いることなく、イルミネーション部２８に動きのあるイルミネーションパターンを表示するために、各光源部２１の発光強度を制御している。
【００３３】
以下の説明では、光源部２１のうち、奇数番目に配置されている光源部２１_１，２１_３，２１_５，…，２１_１９を総称して「奇数群の光源部２１」という。また、光源部２１のうち、偶数番目に配置されている光源部２１_２，２１_４，２１_６，…，２１_２０を総称して「偶数群の光源部２１」という。
【００３４】
本実施形態では、発光制御部５１は、隣り合う光源部２１における発光強度の変化の仕方が異なるように、各光源部２１の発光強度を制御する。例えば、奇数群の光源部２１の発光強度を大きくするときには、偶数群の光源部２１の発光強度を小さくする。一方、奇数群の光源部２１の発光強度を小さくするときには、偶数群の光源部２１の発光強度を大きくする。このように構成することにより、発光強度の変化に伴って投影板２６に投影される出射光の位置が変化するので、偶数群、奇数群の発光強度を繰り返し変化させる制御を行うことでイルミネーション部２８に表示されている模様等が往復移動を繰り返し、その結果、駆動機構を用いずにイルミネーション部２８にゆらぎのあるイルミネーションパターンを表示することができる。
【００３５】
図６は、光源部２１_４，光源部２１_５，光源部２１_２０（すなわち、イルミネーション生成部４０を構成する光源部２１の一部）の回路図を示している。同図に示すように、発光制御部５１は、信号変換部５２に対し、奇数群の光源部２１の発光強度を制御するための制御信号Ｓ_ｏｄを信号線６１に出力し、偶数群の光源部２１の発光強度を制御するための制御信号Ｓ_ｅｖを信号線６２に出力する。信号変換部５２は、受信した制御信号に基いて、各光源部２１を構成するＬＥＤをＰＷＭ制御する。なお、トランジスタを用いたＬＥＤのＰＷＭ制御については公知であるので、詳細な説明を省略する。
【００３６】
また、奇数群の光源部２１の赤ＬＥＤの発光強度を制御するための信号線６６は、光源部２１_１とその他の奇数群の光源部２１とで共通である。同様に、緑ＬＥＤ及び青ＬＥＤの発光強度をそれぞれ制御するための信号線６７及び信号線６８についても共通である。
【００３７】
一方、偶数群の光源部２１の赤ＬＥＤの発光強度を制御するための信号線６３は、光源部２１_４と光源部２１_４とで共通である。同様に、緑ＬＥＤ及び青ＬＥＤの発光強度をそれぞれ制御するための信号線６４及び信号線６５についても共通である。なお、図６では図示していないその他の偶数群の光源部２１についても同様である。
【００３８】
図７は、奇数群の光源部２１と偶数群の光源部２１のそれぞれの発光デューティ（発光強度）の時間変化を示した図である。同図に示すように、奇数群の光源部２１と偶数群の光源部２１の発光強度の変化の周期は同じであるが逆相となっている。すなわち、同図では、隣り合う光源部２１における発光強度の変化の方向が異なるように制御される。なお、図７に示した時間変化は単なる一例である。すなわち、隣り合う光源部２１における発光強度の変化の方向が異なる期間が含まれるように制御すれば、どのような制御パターンでもよい。また、奇数群と偶数群とで、発光デューティの最大値及び最小値が異なるように制御してもよく、また、両者の位相差を半周期未満としてもよく、さらに、両者の周期が異なるように制御してもよい。さらに、図７では、５０％の発光デューティを中心として周期的に変化しているが、この中心値はその他の値でもよい。
【００３９】
このように、奇数群の光源部２１と偶数群の光源部２１の発光強度の時間変化を制御することにより、イルミネーション部２８に所望のイルミネーションパターンを表示することができる。また、光源部２１をＬＥＤで実現することにより、イルミネーション生成部４０の長寿命化を図ることができる。
【００４０】
また、本実施形態では、図６で示した赤，緑，青の各ＬＥＤに対して同一の発光制御を行ったが、光源部２１を奇数群と偶数群とに分け、さらに、１集合（例えば、Ｒ，Ｇ，Ｂ）毎に異なる発光強度を行うように構成してもよく、これにより、フルカラーのゆらぎを生じさせることができる。
【００４１】
また、マイク入力音（演奏曲と歌唱音声）を測定する音測定手段（例えば、周知の音量計やＦＦＴアナライザなど）を設け、その測定結果を発光制御部５１に出力するように構成することにより、イルミネーション部２８のイルミネーションを変化させることができる。
【００４２】
従来の構成では、モータの回転音や歯車等のノイズについてもマイクに入力されるため、マイク入力音をイルミネーションの変化制御に用いることが困難であった。しかしながら、本実施形態では、従来の構成のようなノイズが発生しないため、演奏曲や歌唱音声のみによって「ゆらぎ」を生じさせることができるので、マイク入力音による「ゆらぎ」をカラオケ演奏効果として用いることができる。
【００４３】
以上説明したとおり、本実施形態によれば、発光強度が制御された各光源部２１からの出射光が、光路変更部３０を通過して投影板２６に投影される。そして、光路変更部３０に凹み部３３が形成されることによって、出射光の一部の光路を変更させることができる。すなわち、出射光に対する発光強度の制御と凹み部３３とが相俟って、イルミネーション部２８に動きのあるイルミネーションパターンを表示することができる。しかも、移動機構を必要としない構成であるため、不快な音や不要な音を発生させることなく効果的なイルミネーションをカラオケ用に演出することができる。
【００４４】
本発明は上述した実施形態に限定されるものではなく、本発明の要旨を逸脱しない範囲内で種々の改良、変形が可能であることはいうまでもない。
【００４５】
例えば、上述した実施形態では、光源部２１を奇数群と偶数群の２つのグループに分けて発光制御を行ったが、３つ以上のグループに分けて発行制御を行ってもよい。
【符号の説明】
【００４６】
２０…フロントパネル
２１…光源部
２２…遮光部
２４…第１の反射板
２５…第２の反射板
２６…投影部
２８…イルミネーション部
３０…光路変更部
４０…イルミネーション生成部
５１…発光制御部
【図２】
2011071065.tif 000003
【図５】
2011071065.tif 000004
【図３】
2011071065.tif 000005
【図４】
2011071065.tif 000006
【図６】
2011071065.tif 000007
【図７】
2011071065.tif 000008
【図８】
2011071065.tif 000009
【図１】
2011071065.tif 000010